(57)【要約】【課題】掛け布団が身体に巻き付くのを防止する掛け布団カバー、および掛け布団巻き付き防止具を提供することを。【解決手段】掛け布団本体２を被覆するための掛け布団カバー１は、短手方向の一辺１１の側端部に、塑性変形可能であり形状維持性を有する細長形状部材（巻き込み防止具）２０を備える。掛け布団カバー１は、細長形状部材（巻き込み防止具）２０を短手方向の一辺と対向する辺に側端部に更に備えてもよい。また、掛け布団カバー１は、長手方向の両辺の側端部や四隅それぞれを切り欠く４つの斜辺または当該斜辺近傍に、細長形状部材（巻き込み防止具）２０を備えてもよい。【選択図】図１
0003201059.tif 000002
【実用新案登録請求の範囲】
【請求項１】
掛け布団本体を被覆するための掛け布団カバーであって、
短手方向の一辺の側端部に、塑性変形可能であり形状維持性を有する細長形状部材を備えることを特徴とする掛け布団カバー。
【請求項２】
前記細長形状部材を、前記短手方向の一辺と対向する辺に側端部に更に備えることを特徴とする請求項１に記載の掛け布団カバー。
【請求項３】
掛け布団本体を被覆するための掛け布団カバーであって、
長手方向の両辺の側端部に、塑性変形可能であり形状維持性を有する細長形状部材を備えることを特徴とする掛け布団カバー。
【請求項４】
掛け布団本体を被覆するための掛け布団カバーであって、
四隅それぞれを切り欠く４つの斜辺または当該斜辺近傍に、塑性変形可能であり形状維持性を有する細長形状部材を備えることを特徴とする掛け布団カバー。
【請求項５】
掛け布団本体を被覆するための掛け布団カバーであって、
対角線上または対角線近傍に、塑性変形可能であり形状維持性を有する細長形状部材を備えることを特徴とする掛け布団カバー。
【請求項６】
前記細長形状部材が、取り外し可能であることを特徴とする請求項１から請求項５のいずれかに記載の掛け布団カバー。
【請求項７】
掛け布団本体を被覆するための掛け布団カバーであって、
塑性変形可能であり形状維持性を有する線状部材からなる格子状構造体を備え、
当該格子状構造体の四辺が、前記掛け布団カバーの四辺と略同サイズであることを特徴とする掛け布団カバー。
【請求項８】
前記格子状構造体の横断面形状が、多角形、円、および楕円のいずれかであることを特徴とする請求項７に記載の掛布団カバー。
【請求項９】
前記格子状構造体が、取り外し可能であることを特徴とする請求項７または請求項８に記載の掛け布団カバー。
【請求項１０】
掛け布団本体を被覆するための掛け布団カバーであって、
熱可塑性樹脂の線状部材がループ状に屈曲して三次元網状に絡み合うとともに線状部材同士の接触部が接合した三次元網状構造体を備え、
当該三次元網状構造体の四辺が、前記掛け布団カバーの四辺と略同サイズであることを特徴とする掛け布団カバー。
【請求項１１】
前記三次元網状構造体が、取り外し可能であることを特徴とする請求項１０に記載の掛け布団カバー。
【請求項１２】
掛け布団本体を被覆するための掛け布団カバーであって、
横断面形状が多角形、円、または楕円のいずれかである複数の立体を相互に可動自在に連結して敷き並べたシート状構造体を備え、
当該シート状構造体の四辺は、前記掛け布団本体の四辺と略同サイズであることを特徴とする掛け布団カバー。
【請求項１３】
前記シート状構造体が、取り外し可能であることを特徴とする請求項１２に記載の掛け布団カバー。
【請求項１４】
掛け布団に取り付ける巻き付き防止具であって、
塑性変形可能であり形状維持性を有する細長形状部材と、
前記細長形状部材の両端に備えられ、当該細長形状部材を前記掛け布団に係止する２つの係止部と、
を備えることを特徴とする巻き付き防止具。
【請求項１５】
掛け布団に取り付ける巻き付き防止具であって、
塑性変形可能であり形状維持性を有し、隙間を有して対向する２つの細長形状部材と、
前記対向する２つの細長形状部材において、対向する両端を連結する連結部と、
を備えることを特徴とする巻き付き防止具。
【請求項１６】
掛け布団に取り付ける巻き付き防止具であって、
前記掛け布団と略同サイズの四辺を有し、塑性変形可能であり形状維持性を有する線状部材からなる格子状構造体であって、前記掛け布団に重ね合わせてまたは内に挿入して使用することを特徴とする巻き付き防止具。
【請求項１７】
掛け布団に取り付ける巻き付き防止具であって、
前記掛け布団と略同サイズの四辺を有し、熱可塑性樹脂の線状部材がループ状に屈曲して三次元網状に絡み合うとともに線状部材同士の接触部が接合した三次元網状構造体であって、前記掛け布団に重ね合わせてまたは内に挿入して使用することを特徴とする巻き付き防止具。
【請求項１８】
掛け布団に取り付ける巻き付き防止具であって、
前記掛け布団と略同サイズの四辺を有し、横断面形状が多角形、円、および楕円のいずれかである複数の立体を相互に可動自在に連結して敷き並べたシート状構造体であって、前記掛け布団に重ね合わせてまたは内に挿入して使用することを特徴とする巻き付き防止具。
【請求項１９】
重ね合わせた前記掛け布団から外れないように、当該掛け布団に接合する接合部を備えることを特徴とする請求項１６から請求項１８のいずれかに記載の巻き付き防止具。
【考案の詳細な説明】
【技術分野】
【０００１】
本考案は、掛け布団が体に巻き付くのを防止する掛け布団カバー、および掛け布団巻き付き防止具に関するものである。
【背景技術】
【０００２】
近年、軽くて薄い布団が多数売られている。軽くて薄い布団は、身体への負担が少なく、また、コンパクトに収納ができるといったメリットがある。しかしながら、軽くて薄いがために、就寝時、寝返りを打つとどうしても身体とともに掛け布団が移動しやすく、掛け布団が身体から横にずれて、例えば布団を脱いだ状態で睡眠し、寒気をおぼえるというような問題点があった。そこで、掛け布団を敷き布団といった他のものに結び付けて固定することで掛け布団がずれることを防止する技術が提案されている（例えば、特許文献１、特許文献２参照）。
【先行技術文献】
【特許文献】
【０００３】
【特許文献１】特開２０１３−２５２４０５号公報
【特許文献２】特開２００４−３２９３０１号公報
【考案の概要】
【考案が解決しようとする課題】
【０００４】
ところで、軽くて薄い掛け布団には、掛け布団が身体から横にずれてしまうとともに、寝返りの際に身体に巻き付いてしまうことで、眠りが妨げられて寝心地が悪くなってしまうという問題点もあった。しかしながら、特許文献１および特許文献２に記載の技術では、掛け布団が身体から横にずれてしまうことは防げるが、寝返りの際に掛け布団が身体に巻き付いてしまい眠りが妨げられて寝心地が悪くなってしまうという問題点は解消することはできなかった。
【０００５】
そこで、本考案は、上記課題に鑑み、掛け布団が身体に巻き付くのを防止する掛け布団カバー、および掛け布団巻き付き防止具を提供することを目的とする。
【課題を解決するための手段】
【０００６】
本考案は、上記の課題を解決するために、以下の事項を提案している。なお、理解を容易にするために、本考案の実施形態に対応する符号を付して説明するが、これに限定されるものではない。
【０００７】
請求項１の考案は、掛け布団本体（２）を被覆するための掛け布団カバー（１）であって、短手方向の一辺（１１）の側端部に、塑性変形可能であり形状維持性を有する細長形状部材（２０）を備えることを特徴とする掛け布団カバーを提案している。
【０００８】
この考案によれば、掛け布団カバーが被された掛け布団の芯として細長形状部材が働き、掛け布団が丸まりにくくなる。その結果、寝返り等によって掛け布団が人の身体に巻き付くことを防ぐことができ、就寝時に眠りが妨げられず寝心地を向上させることができる。
【０００９】
請求項２の考案は、請求項１に記載の掛け布団カバー（１）において、前記細長形状部材（２０）を、前記短手方向の一辺と対向する辺（１２）に側端部に更に備えることを特徴とする掛け布団カバーを提案している。
【００１０】
この考案によれば、掛け布団カバーが被された掛け布団上下において細長形状部材が芯として働き、より掛け布団が丸まりにくくなる。その結果、寝返り等によって掛け布団が人の身体に巻き付くことを防ぐことができ、就寝時に眠りが妨げられず寝心地を向上させることができる。
【００１１】
請求項３の考案は、掛け布団本体（２）を被覆するための掛け布団カバー（１）であって、長手方向の両辺（１３，１４）の側端部に、塑性変形可能であり形状維持性を有する細長形状部材（２０）を備えることを特徴とする掛け布団カバーを提案している。
【００１２】
この考案によれば、掛け布団カバーが被された掛け布団左右において細長形状部材が芯として働き、掛け布団が丸まりにくくなる。その結果、寝返り等によって掛け布団が人の身体に巻き付くことを防ぐことができ、就寝時に眠りが妨げられず寝心地を向上させることができる。
【００１３】
請求項４の考案は、掛け布団本体（２）を被覆するための掛け布団カバー（１）であって、四隅それぞれを切り欠く４つの斜辺または当該斜辺近傍に、塑性変形可能であり形状維持性を有する細長形状部材（２０）を備えることを特徴とする掛け布団カバーを提案している。
【００１４】
この考案によれば、掛け布団カバーが被された掛け布団四隅近傍において細長形状部材が芯として働き、掛け布団が丸まりにくくなる。その結果、寝返り等によって掛け布団が人の身体に巻き付くことを防ぐことができ、就寝時に眠りが妨げられず寝心地を向上させることができる。
【００１５】
請求項５の考案は、掛け布団本体（２）を被覆するための掛け布団カバー（１）であって、対角線上または対角線近傍に、塑性変形可能であり形状維持性を有する細長形状部材（２０）を備えることを特徴とする掛け布団カバーを提案している。
【００１６】
この考案によれば、掛け布団カバーが被された掛け布団の対角線上において細長形状部材が芯として働き、掛け布団が丸まりにくくなる。その結果、寝返り等によって掛け布団が人の身体に巻き付くことを防ぐことができ、就寝時に眠りが妨げられず寝心地を向上させることができる。
【００１７】
請求項６の考案は、請求項１から請求項５のいずれかに記載の掛け布団カバー（１）において、前記細長形状部材（２０）が、取り外し可能であることを特徴とする掛け布団カバーを提案している。
【００１８】
この考案によれば、細長形状部材が掛け布団カバーから取り外し可能であることにより、掛け布団カバーの収納や洗濯をしやすくすることができる。
【００１９】
請求項７の考案は、掛け布団本体を被覆するための掛け布団カバー（１００）であって、塑性変形可能であり形状維持性を有する線状部材からなる格子状構造体（５０）を備え、当該格子状構造体の四辺が、前記掛け布団カバーの四辺と略同サイズであることを特徴とする掛け布団カバーを提案している。
【００２０】
この考案によれば、格子状構造体により掛け布団カバーが自身の形状を保ち、更に、その掛け布団カバーが被された掛け布団も自身の形状を保つことができる。その結果、掛け布団が丸まりにくくなり、寝返り等によって掛け布団が人の身体に巻き付くことを防ぐことができ、就寝時に眠りが妨げられず寝心地を向上させることができる。
【００２１】
請求項８の考案は、請求項７に記載の掛け布団カバー（１００）において、前記格子状構造体（５０）の横断面形状が、多角形、円、および楕円のいずれかであることを特徴とする掛布団カバーを提案している。
【００２２】
この考案によれば、格子状構造体の横断面形状を、多角形、円、および楕円にすることができる。
【００２３】
請求項９の考案は、請求項７または請求項８に記載の掛け布団カバー（１００）において、前記格子状構造体が、取り外し可能であることを特徴とする掛け布団カバーを提案している。
【００２４】
この考案によれば、格子状構造体が掛け布団カバーから取り外し可能であることにより、掛け布団カバーの収納や洗濯をしやすくすることができる。
【００２５】
請求項１０の考案は、掛け布団本体を被覆するための掛け布団カバー（２００）であって、熱可塑性樹脂の線状部材がループ状に屈曲して三次元網状に絡み合うとともに線状部材同士の接触部が接合した三次元網状構造体（６０）を備え、当該三次元網状構造体の四辺が、前記掛け布団カバーの四辺と略同サイズであることを特徴とする掛け布団カバーを提案している。
【００２６】
この考案によれば、三次元網状構造体により掛け布団カバーが自身の形状を保ち、更に、その掛け布団カバーが被された掛け布団も自身の形状を保つことができる。その結果、掛け布団が丸まりにくくなり、寝返り等によって掛け布団が人の身体に巻き付くことを防ぐことができ、就寝時に眠りが妨げられず寝心地を向上させることができる。
【００２７】
請求項１１の考案は、請求項１０に記載の掛け布団カバー（２００）において、前記三次元網状構造体（６０）が、取り外し可能であることを特徴とする掛け布団カバーを提案している。
【００２８】
この考案によれば、格子状構造体が掛け布団カバーから取り外し可能であることにより、掛け布団カバーの収納や洗濯をしやすくすることができる。
【００２９】
請求項１２の考案は、掛け布団本体を被覆するための掛け布団カバー（３００）であって、横断面形状が多角形、円、または楕円のいずれかである複数の立体を相互に可動自在に連結して敷き並べたシート状構造体（７０）を備え、当該シート状構造体の四辺は、前記掛け布団本体の四辺と略同サイズであることを特徴とする掛け布団カバーを提案している。
【００３０】
この考案によれば、シート状構造体により掛け布団カバーが自身の形状を保ち、更に、その掛け布団カバーが被された掛け布団も自身の形状を保つことができる。その結果、掛け布団が丸まりにくくなり、寝返り等によって掛け布団が人の身体に巻き付くことを防ぐことができ、就寝時に眠りが妨げられず寝心地を向上させることができる。
【００３１】
請求項１３の考案は、請求項１２に記載の掛け布団カバー（３００）において、前記シート状構造体（７０）が、取り外し可能であることを特徴とする掛け布団カバーを提案している。
【００３２】
この考案によれば、シート状構造体が掛け布団カバーから取り外し可能であることにより、掛け布団カバーの収納や洗濯をしやすくすることができる。
【００３３】
請求項１４の考案は、掛け布団に取り付ける巻き付き防止具（３０）であって、塑性変形可能であり形状維持性を有する細長形状部材（３１）と、前記細長形状部材の両端に備えられ、当該細長形状部材を前記掛け布団に係止する２つの係止部（３２）と、を備えることを特徴とする巻き付き防止具を提案している。
【００３４】
この考案によれば、係止された細長形状部材が掛け布団の芯として働き、掛け布団が丸まりにくくなる。その結果、寝返り等によって掛け布団が人の身体に巻き付くことを防ぐことができ、就寝時に眠りが妨げられず寝心地を向上させることができる。
【００３５】
請求項１５の考案は、掛け布団に取り付ける巻き付き防止具（４０）であって、塑性変形可能であり形状維持性を有し、隙間を有して対向する２つの細長形状部材（４１）と、前記対向する２つの細長形状部材において、対向する両端を連結する連結部（４２）と、を備えることを特徴とする巻き付き防止具を提案している。
【００３６】
この考案によれば、係止された細長形状部材が掛け布団の芯として働き、掛け布団が丸まりにくくなる。その結果、寝返り等によって掛け布団が人の身体に巻き付くことを防ぐことができ、就寝時に眠りが妨げられず寝心地を向上させることができる。
【００３７】
請求項１６の考案は、掛け布団と略同サイズの四辺を有し、塑性変形可能であり形状維持性を有する線状部材からなる格子状構造体であって、前記掛け布団に重ね合わせてまたは内に挿入して使用することを特徴とする巻き付き防止具を提案している。
【００３８】
この考案によれば、巻き付き防止具が取り付けられた掛け布団が格子状構造体により自身の形状を保つことができ、丸まりにくくなる。その結果、寝返り等によって掛け布団が人の身体に巻き付くことを防ぐことができ、就寝時に眠りが妨げられず寝心地を向上させることができる。
【００３９】
請求項１７の考案は、掛け布団と略同サイズの四辺を有し、熱可塑性樹脂の線状部材がループ状に屈曲して三次元網状に絡み合うとともに線状部材同士の接触部が接合した三次元網状構造体であって、前記掛け布団に重ね合わせてまたは内に挿入して使用することを特徴とする巻き付き防止具を提案している。
【００４０】
この考案によれば、巻き付き防止具が取り付けられた掛け布団が三次元網状構造体により自身の形状を保つことができ、丸まりにくくなる。その結果、寝返り等によって掛け布団が人の身体に巻き付くことを防ぐことができ、就寝時に眠りが妨げられず寝心地を向上させることができる。
【００４１】
請求項１８の考案は、掛け布団と略同サイズの四辺を有し、横断面形状が多角形、円、および楕円のいずれかである複数の立体から構成され、当該複数の立体が小片によって相互に可動自在に連結されたシート状構造体であって、前記掛け布団に重ね合わせてまたは内に挿入して使用することを特徴とする巻き付き防止具を提案している。
【００４２】
この考案によれば、巻き付き防止具が取り付けられた掛け布団がシート状構造体により自身の形状を保つことができ、丸まりにくくなる。その結果、寝返り等によって掛け布団が人の身体に巻き付くことを防ぐことができ、就寝時に眠りが妨げられず寝心地を向上させることができる。
【００４３】
請求項１９の考案は、請求項１６から請求項１８のいずれかに記載の巻き付き防止具において、重ね合わせた前記掛け布団から外れないように、当該掛け布団に接合する接合部を備えることを特徴とする巻き付き防止具を提案している。
【００４４】
この考案によれば、巻き付き防止具を掛け布団から外れにくくすることができる。
【考案の効果】
【００４５】
本考案によれば、寝返りの際に掛け布団が身体に巻き付いてしまうことを防ぎ、就寝時に眠りが妨げられず寝心地を向上させることができる。
【図面の簡単な説明】
【００４６】
【図１】考案の第１の実施形態に係る掛け布団カバーの使用状態を表す平面図を示す。
【図２】本考案の第１の実施形態に係る掛け布団カバーの使用状態における断面図を示す。
【図３】本考案の第１の実施形態に係る掛け布団カバーの変形例の上面図を示す。
【図４】本考案の第２の実施形態に係る掛け布団巻き付き防止具の使用状態を表す平面図を示す。
【図５】本考案の第２の実施形態に係る掛け布団巻き付き防止具の横断面図を示す。
【図６】本考案の第２の実施形態に係る掛け布団巻き付き防止具の変形例の横断面図を示す。
【図７】本考案の第３の実施形態に係る掛け布団カバーの上面図を示す。
【図８】本考案の第３の実施形態に係る掛け布団カバーに備えられる掛け布団巻き付き防止具の縦断面図を示す。
【図９】本考案の第４の実施形態に係る掛け布団カバーの上面図を示す。
【図１０】本考案の第４の実施形態に係る掛け布団カバーに備えられる三次元網状構造体の斜視図を示す。
【図１１】本考案の第５の実施形態に係る掛け布団カバーの上面図を示す。
【図１２】本考案の第５の実施形態に係る掛け布団カバーに備えられる掛け布団巻き付き防止具の縦断面図を示す。
【考案を実施するための形態】
【００４７】
以下、図面を用いて、本考案の実施形態について詳細に説明する。本実施形態において、同一部材や形状であっても位置等が異なることで区別する場合には符号に英字を付し、区別しない場合には符号のみで表す。なお、本実施形態における構成要素は適宜、既存の構成要素等との置き換えが可能であり、また、他の既存の構成要素との組み合わせを含む様々なバリエーションが可能である。したがって、本実施形態の記載をもって、実用新案登録請求の範囲に記載された考案の内容を限定するものではない。
【００４８】
図１および図２を用いて、本考案の第１の実施形態に係る掛け布団カバー１について説明する。図１は、本考案の第１の実施形態に係る掛け布団カバー１の使用状態を表す平面図を示す。図２は、本考案の第１の実施形態に係るカバー１の使用状態における断面図を示す。
【００４９】
掛け布団カバー１は、綿や羽毛等から構成される掛け布団本体２に被せて使用されるものであって、筒状や袋状のものである。掛け布団本体２は、薄くて軽いものであるのが望ましい。以下、掛け布団本体２に掛け布団カバー１を被せたものを掛け布団という。
【００５０】
掛け布団カバー１は、図１に示すように、短手方向の上辺１１側端部に掛け布団巻き付き防止具（以下、簡略化のため防止具という）２０を備える。ここで、上辺１１とは、掛け布団使用時に、人の頭側にある短手方向の辺をいう。なお、防止具２０は、掛け布団カバー１の上辺１１の縁側面に備えられてもよい。
【００５１】
防止具２０は、掛け布団カバー１の上生地または下生地のいずれかに取り付けられてもよいし、上生地と下生地との間に取り付けられてもよい。なお、本実施形態において、防止具２０は掛け布団カバー１の上生地に備えられている。また、防止具２０は、掛け布団カバー１に取り外し不可であってもよいし、取り外し可能であってもよい。
【００５２】
防止具２０が掛け布団カバー１から取り外し可能な場合には、例えば、掛け布団カバー１は、防止具２０を挿入する筒部（図示せず）を備える。筒部は、少なくとも１つの開閉可能な開口部を有する。また、掛け布団カバー１は、防止具２０を掛け布団カバー１に固定するための１以上の固定具を備えてもよい。固定具がテープ状の面ファスナーの場合には、複数の面ファスナーそれぞれを防止具に巻きつけて固定し、固定具が粘着テープの場合には、掛け布団カバー１に防止具２０を粘着テープで貼着する。このように、防止具２０を掛け布団カバー１から取り外し可能にすることで、掛け布団や掛け布団カバー１の収納や洗濯がしやすくなる。
【００５３】
防止具２０は、細長形状部材であって、例えば、板形状や棒形状である。防止具２０は、容易に変形が可能な塑性変形可能であり形状維持性を有する部材であり、例えば、ポリエチレン製や金属製である。
【００５４】
上述した防止具２０は、掛け布団カバー１の上辺１１側端部に備えることにより掛け布団の上部の芯として働く。それにより、掛け布団は、特に薄くて軽い掛け布団は、丸まりにくくなり、寝返り等によって掛け布団が人の体に巻き付くことを防ぐことができる。その結果、眠りが妨げられず、寝心地を向上させることができる。
【００５５】
図２を用いて、人の動きに伴う防止具２０を備えた掛け布団の状態について説明する。図２は、図１におけるＡ−Ａ断面図を示す。図２（ａ）は人４が仰向けに寝ている状態の断面図を示し、図２（ｂ）は人４が横向きに寝ている状態の断面図を示す。なお、図において、掛け布団本体２は省略している。
【００５６】
防止具２０は塑性変形可能であり形状維持性を有する部材であるので、図２（ａ）に示すように、防止具２０は仰向けに寝ている人４の身体に沿った湾曲形状に変化する。防止具２０の形状が変形することで掛け布団も湾曲形状に変形するので、掛け布団を人４の身体に沿わせることができる。その一方、防止具２０が掛け布団の上部の芯として働くので、掛け布団は身体に密着しない。なお、人４が防止具２０を任意の形状に形作ってもよい。
【００５７】
図２（ａ）に示すように、防止具２０により掛け布団は身体に密着しないので、寝返りを打つ際に、掛け布団が身体に巻き付かず、寝返りしやすい。その結果、眠りが妨げられず、寝心地を向上させることができる。
【００５８】
寝返りによって、図２（ａ）から図２（ｂ）に人４が横向きになると、今度は、防止具２０は横向きに寝ている人４の身体に沿った湾曲形状に変化し、掛け布団を人４の体に沿わせることができる。このように、人の身体が動いても、防止具２０が掛け布団を身体に沿った形状に自然に変化させることができる。
【００５９】
図３には、本考案の第１の実施形態に掛かる掛け布団カバー１の変形例の上面図を示す。なお、本図において掛け布団本体２は省略している。図１では、防止具２０は、短手方向の上辺１１の側端部に備えられていたが、図３（ａ）に示すように短手方向の下辺１２の側端部や縁側面、また長手方向の左右辺１３，１４の側端部や縁側面に備えてもよい。それにより、掛け布団をより丸まりにくくすることができる。
【００６０】
また、図３（ｂ）に示すように、掛け布団カバーの対角線上または対角線近傍に防止具２０を取り付けることでも、掛け布団を丸まりにくくすることができる。更には、図３（ｃ）に示すように、掛け布団カバー１の四隅それぞれを切り欠いた斜辺または斜辺近傍に防止具２０を取り付けても、掛け布団を丸まりにくくすることができる。四隅それぞれを切り欠いた斜辺に防止具２０を取り付ける場合には、隣り合う辺のそれぞれの中心を結んだ斜辺に近い方が、掛け布団の芯としての働きが高まり望ましい。
【００６１】
なお、各辺の側端部、対角線、および四隅それぞれを切り欠いた斜辺、これらを組み合わせた位置に防止具２０を取り付けてもよい。また、各辺の側端部、対角線、および四隅それぞれを切り欠いた斜辺に取り付けられる防止具２０はつながっていてもよい。
【００６２】
本実施形態において、掛け布団カバー１に防止具２０は取り付けられていたが、掛け布団本体２内部に、防止具２０を上述したような位置に備えてもよい。この場合にも、防止具２０は取り外し不可であってもよいし、取り外し可能であってもよい。また、防止具２０は、掛け布団上部に貼着されて使用することもできる。
【００６３】
以上、説明したように、本実施形態によれば、掛け布団カバー１の防止具２０が、掛け布団の芯として働くことにより、掛け布団は、特に薄くて軽い掛け布団は、丸まりにくくなり、寝返り等によって掛け布団が人の身体に巻き付くことを防ぐことができる。その結果、眠りが妨げられず、寝心地を向上させることができる。
【００６４】
＜第２の実施形態＞
図４は、本考案の第２の実施形態に係る巻き付き防止具３０の使用状態を示す図である。図５は、本考案の第２の実施形態に係る巻き付き防止具３０の横断面図を示す図である。図６は、本考案の第２の実施形態に係る巻き付き防止具３０の変形例である巻き付き防止具４０の横断面図を示す図である。
【００６５】
巻き付き防止具３０は、細長形状部材３１とクリップ部３２とから構成される。
【００６６】
細長形状部材３１は、細長形状であって、例えば、板形状や棒形状である。細長形状部材３１は、容易に変形が可能な塑性変形可能であり形状維持性を有する部材であり、例えば、ポリエチレン製や金属製である。細長形状部材３１は、掛け布団５の短手方向の辺、長手方向の辺、対角線、または四隅を切り欠く斜辺の固定長のものであってもよいし、自身の長手方向に伸縮自在となるような公知の伸縮構造を備えて長さが変更できるものであってもよい。ここで、掛け布団５とは、掛け布団本体、もしくは、掛け布団本体に掛け布団カバーが被されたものをいう。
【００６７】
クリップ部３２は、細長形状部材３１の両端に設けられている。クリップ部３２は、掛け布団５の端を挟み込んで、細長形状部材３１を掛け布団５に沿わせて係止する。本実施形態において、巻き付き防止具３０をクリップ部３２によって掛け布団５に係止しているが、巻き付き防止具３０を掛け布団５に係止することができるものであれば、クリップ以外の他の公知の技術を用いてもよい。
【００６８】
巻き付き防止具３０は、掛け布団５の短手方向の辺、長手方向の辺、対角線、または四隅を切り欠く斜辺等任意に位置にクリップ部３２により取り付けられ、掛け布団５の芯として働く。それにより、掛け布団５は、特に薄くて軽い掛け布団は、丸まりにくくなり、寝返り等によって掛け布団が人の身体に巻き付くことを防ぐことができ、眠りが妨げられず、寝心地を向上させることができる。
【００６９】
次に、巻き付き防止具３０の変形例を図６に示す。図６に示す巻き付き防止具４０は、２つの細長形状部材４１と連結部４２とから構成される。２つの細長形状部材４１は、隙間を有して対向して配置されている。２つの細長形状部材４１の形状や素材は、巻き付き防止具３０の細長形状部材３１と同一である。連結部４２は、２つの細長形状部材４１を対向する両端で連結し、環状の巻き付き防止具４０とする。連結部４２は、金属、ゴム、合成樹脂等で構成され、伸縮性があるものが好ましい。
【００７０】
巻き付き防止具４０は、２つの細長形状部材４１の隙間に掛け布団５を任意の位置で挟み、掛け布団５の芯として働く。それにより、掛け布団５は、特に薄くて軽い掛け布団は、丸まりにくくなり、寝返り等によって掛け布団が人の身体に巻き付くことを防ぐことができ、眠りが妨げられず、寝心地を向上させることができる。
【００７１】
以上、説明したように、本実施形態によれば、掛け布団本体や掛け布団カバーが被された掛け布団に巻き付き防止具を取り付けることにより、掛け布団等の任意の位置に芯を作り、掛け布団、特に薄くて軽い掛け布団は、丸まりにくくなり、寝返り等によって掛け布団が人の体に巻き付くことを防ぐことができる。その結果、眠りが妨げされず、寝心地を向上させることができる。
【００７２】
＜第３の実施形態＞
図７は、本考案の第３の実施形態に係る掛け布団カバー１００の上面図を示す。図８は、本考案の第３の実施形態に係る掛け布団カバー１００に備えられる掛け布団巻き付き防止具（以下、簡略化のため防止具という）５０の縦断面図を示す。
【００７３】
掛け布団カバー１００は、第１の実施形態と同様に、綿や羽毛等から構成される掛け布団本体２に被せて使用されるものであって、筒状や袋状のものである。
【００７４】
掛け布団カバー１００は、図７に示すように、掛け布団カバー１００の四辺と略同サイズの四辺を有する掛け布団巻き付き防止具（以下、簡略化のため防止具という）５０を備える。防止具５０は、掛け布団カバー１００の上生地または下生地のいずれかに取り付けられてもよいし、上生地と下生地との間に取り付けられてもよい。なお、本実施形態において、防止具５０は掛け布団カバー１００の上生地の裏面に備えられている。
【００７５】
また、防止具５０は、掛け布団カバー１００に取り外し不可であってもよいし、取り外し可能であってもよい。防止具５０が掛け布団カバー１００から取り外し可能な場合には、例えば、掛け布団カバー１００は、少なくとも１つの開閉可能な開口部を有する筒部（図示せず）を備え、筒部に防止具５０が挿入される。
【００７６】
防止具５０は、塑性変形可能であり形状維持性を有する線状部材からなる格子状構造体である。図７には、防止具５０の格子状構造体の一例として、いずれの開口部１１０の横断面形状も同一の四角形である例を示す。開口部１１０の横断面形状は、四角形に限らず、六角形、三角形といった多角形や、円や、楕円であってもよい。各開口部１１０の横断面の大きさは任意であり、開口部１１０それぞれの横断面形状や大きさは異なっていてもよい。例えば、辺周辺部分の開口部１１０の大きさよりも中心部分の開口部１１０の大きさを大きくしてもよいし、辺周辺部分の開口部１１０を円形、中心部分の開口部１１０を六角形としてもよい。また、防止具５０の桟の幅も任意であり、縦桟１２０ａと横桟１２０ｂとの幅は異なっていてもよい。
【００７７】
図７において、防止具５０の縦桟１２０ａは掛け布団カバー１００の長辺１０１と、防止具５０の横桟１２０ｂは掛け布団カバー１００の短辺１０２と平行であるが、平行でなく、それぞれの辺と任意の角度で傾斜していてもよい。
【００７８】
防止具５０は、重くならないように厚みは薄いのが望ましく、例えば、１ｃｍ程度までが望ましい。開口部１１０の上面および下面は、桟１２０ａ、１２０ｂと同一または別素材にて閉じられていてもよいが、軽量化のため、開口しているのが望ましい。
【００７９】
防止具５０は、容易に変形が可能な塑性変形可能であり形状維持性を有する部材であり、例えば、ポリエチレン製や金属製である。防止具５０が、容易に変形が可能な塑性変形可能であることにより、防止具５０は寝ている人の身体に沿った湾曲形状に変化して掛け布団を人の身体に沿わせることができる。また、防止具５０は、形状維持性を有する部材であることにより、掛け布団の形状を保つことができるので、掛け布団を身体に密着させないようにすることができ、寝返りを打つ際に、掛け布団が身体に巻き付かない。
【００８０】
本実施形態において、防止具５０は、掛け布団カバー１００に備えられているが、独立した形態であってもよい。独立した形態の場合には、防止具５０は、掛け布団に重ね合わせて装着できるように、例えば、図３に示したようなクリップ部３２を四隅に備えたり、桟１２０ａ、１２０ｂの片面に粘着部材が貼着されたりしていてもよい。また、独立した形態の場合には、防止具５０は、掛け布団内に入れることもできる。
【００８１】
以上、説明したように、本実施形態によれば、掛け布団本体や掛け布団カバーが被された掛け布団に防止具を取り付けることにより、防止具が形状を維持することで掛け布団の形状を保つことができ、掛け布団が丸まりにくくなる。その結果、寝返り等によって掛け布団が人の身体に巻き付くことを防ぐことができ、就寝時に眠りが妨げられず寝心地を向上させることができる。
【００８２】
＜第４の実施形態＞
図９は、本考案の第４の実施形態に係る掛け布団カバー２００の上面図を示す。図１０は、本考案の第４の実施形態に係る掛け布団カバー２００に備えられる三次元網状構造体６０の斜視図を示す。
【００８３】
掛け布団カバー２００は、第１の実施形態と同様に、綿や羽毛等から構成される掛け布団本体２に被せて使用されるものであって、筒状や袋状のものである。
【００８４】
掛け布団カバー２００は、図９に示すように、掛け布団カバー２００の四辺と略同サイズの四辺を有する掛け布団巻き付き防止具（以下、簡略化のため防止具という）６０を備える。防止具６０は、掛け布団カバー２００の上生地または下生地のいずれかに取り付けられてもよいし、上生地と下生地との間に取り付けられてもよい。なお、本実施形態において、防止具６０は掛け布団カバー２００の上生地の裏面に備えられている。また、防止具６０は、掛け布団カバー２００に取り外し不可であってもよいし、取り外し可能であってもよい。なお、防止具６０が掛け布団カバー２００から取り外し可能な場合には、第３の実施形態の掛け布団カバー１００と同様である。
【００８５】
防止具６０は、線状部材が絡み合った疎な構造を有するものであって、具体的には、熱可塑性樹脂の線状部材がループ状に屈曲して三次元網状に絡み合うとともに線状部材同士の接触部が接合した三次元網状構造体である。防止具６０は、容易に変形が可能な塑性変形可能であり形状維持性を有し、例えば、ポリエチレン等の樹脂製であって、東洋紡績株式会社の「ブレスエアー」（登録商標）として提供されているものを使用してもよい。防止具６０のかさ密度は、任意でよいが、防止具６０は軽い方が望ましいので、三次元網状構造体の形状を保てる範囲で低密度であるのが望ましい。なお、防止具６０は、軽くするために、形状が保てる程度に１以上の穴が形成されていてもよい。
【００８６】
防止具６０が、容易に変形が可能な塑性変形可能であることにより、防止具６０は寝ている人の身体に沿った湾曲形状に変化して掛け布団を人の身体に沿わせることができる。また、防止具６０は、形状維持性を有する部材であることにより、掛け布団の形状を保つことができるので、掛け布団を身体に密着させないようにすることができ、寝返りを打つ際に、掛け布団が身体に巻き付かない。
【００８７】
本実施形態において、防止具６０は、掛け布団カバー２００に備えられているが、独立した形態であってもよい。独立した形態の場合には、防止具６０は、掛け布団に重ね合わせて装着できるように、例えば、図３に示したようなクリップ部３２を四隅に備えたり、片面に粘着部材が貼着されたりしていてもよい。また、独立した形態の場合には、防止具５０は、掛け布団内に入れることもできる。
【００８８】
以上、説明したように、本実施形態によれば、掛け布団本体や掛け布団カバーが被された掛け布団に巻き付き防止具を取り付けることにより、防止具が形状を維持することで掛け布団の形状を保つことができ、掛け布団が丸まりにくくなる。その結果、寝返り等によって掛け布団が人の身体に巻き付くことを防ぐことができ、就寝時に眠りが妨げられず寝心地を向上させることができる。
【００８９】
＜第５の実施形態＞
図１１は、本考案の第５の実施形態に係る掛け布団カバー３００の上面図を示す。図１２は、本考案の第５の実施形態に係る掛け布団カバー３００に備えられる掛け布団巻き付き防止具７０の縦断面図を示す。
【００９０】
掛け布団カバー３００は、第１の実施形態と同様に、綿や羽毛等から構成される掛け布団本体２に被せて使用されるものであって、筒状や袋状のものである。
【００９１】
掛け布団カバー３００は、図１１に示すように、掛け布団カバー３００の四辺と略同サイズの四辺を有する掛け布団巻き付き防止具（以下、簡略化のため防止具という）７０を備える。防止具７０は、掛け布団カバー３００の上生地または下生地のいずれかに取り付けられてもよいし、上生地と下生地との間に取り付けられてもよい。なお、本実施形態において、防止具７０は掛け布団カバー３００の上生地の裏面に備えられている。また、防止具７０は、掛け布団カバー３００に取り外し不可であってもよいし、取り外し可能であってもよい。
【００９２】
防止具７０は、複数の立体を敷き並べたシート状構造体であって、複数の立体は相互に可動自在に連結している。防止具７０は、掛け布団の形状を保つために、複数の立体が可動した場合であっても、複数の立体が１つの面を構成している状態を保っている必要がある。掛け布団の形状を保つことで、掛け布団を身体に密着させないようにすることができ、寝返りを打つ際に、掛け布団が身体に巻き付かないからである。そのため、複数の立体の可動範囲は上下左右に０度から４５度の間であって、３０度以下、２０度以下、１０度以下であってもよい。一方で、複数の立体は相互に可動自在であることにより、防止具７０は寝ている人の身体に沿った湾曲形状に変化して掛け布団を人の身体に沿わせることができる。
【００９３】
また、防止具７０は、複数の立体が１つの面を構成している状態を保てるのであれば、外周にのみ立体が敷き並べられて中心部分に穴が空いているといったように、立体が敷き並べられていない部分があってもよい。
【００９４】
図１１および図１２には、防止具７０の一例として、球体７１が相互に可動自在に連結して敷き並べられている防止具を示す。なお、防止具７０を構成するのは球体７１に限らず、楕円体や柱状体でよく、それらの横断面形状は、多角形、円、および楕円のいずれかであってもよい。また、防止具７０は軽いほうが望ましいため、球体等の内部が空洞であるのが望ましい。図１２に示すように、球体７１は、小片７２によって相互に可動自在に連結されている。なお、球体７１同士は密接していてもよいし、隙間があってもよい。
【００９５】
小片１２は、球体７１といった立体を連結できればよく、形状は任意であって、また材質は、例えば、ポリエチレン製や金属である。なお、図１２において、１つの小片１２で球体７１は連結されているが、複数の小片１２で連結されてもよい。
【００９６】
本実施形態において、防止具７０は、掛け布団カバー３００に備えられているが、独立した形態であってもよい。独立した形態の場合には、防止具７０は、掛け布団に重ね合わせて装着できるように、例えば、図３に示したようなクリップ部３２を四隅に備えたり、片面に粘着部材が貼着されたりしていてもよい。また、独立した形態の場合には、防止具５０は、掛け布団内に入れることもできる。
【００９７】
以上、説明したように、本実施形態によれば、掛け布団本体や掛け布団カバーが被された掛け布団に巻き付き防止具を取り付けることにより、防止具が形状を維持することで掛け布団の形状を保つことができ、掛け布団が丸まりにくくなる。その結果、寝返り等によって掛け布団が人の身体に巻き付くことを防ぐことができ、就寝時に眠りが妨げられず寝心地を向上させることができる。
【００９８】
以上、この考案の実施形態につき、図面を参照して詳述してきたが、具体的な構成はこの実施形態に限られるものではなく、この考案の要旨を逸脱しない範囲の設計等も含まれる。
【符号の説明】
【００９９】
１                  掛け布団カバー
２                  掛け布団本体
３                  敷き布団
４                  人
５                  掛け布団
１１                上辺
１２                下辺
１３                左辺
１４                右辺
２０                巻き付き防止具
３０                巻き付き防止具
３１                細長形状部材
３２                クリップ部
４０                巻き付き防止具
４１                細長形状部材
４２                連結部
５０                巻き付き防止具
６０                巻き付き防止具
７０                巻き付き防止具
７１                球体
７２                小片
１００              掛け布団カバー
１０１              長辺
１０２              短辺
１１０              開口部
１２０ａ，１２０ｂ  桟
２００              掛け布団カバー
３００              掛け布団カバー
【図１】
0003201059.tif 000003
【図２】
0003201059.tif 000004
【図３】
0003201059.tif 000005
【図４】
0003201059.tif 000006
【図５】
0003201059.tif 000007
【図６】
0003201059.tif 000008
【図７】
0003201059.tif 000009
【図８】
0003201059.tif 000010
【図９】
0003201059.tif 000011
【図１０】
0003201059.tif 000012
【図１１】
0003201059.tif 000013
【図１２】
0003201059.tif 000014
【手続補正書】
【提出日】平成27年9月17日(2015.9.17)
【手続補正１】
【補正対象書類名】実用新案登録請求の範囲
【補正対象項目名】全文
【補正方法】変更
【補正の内容】
【実用新案登録請求の範囲】
【請求項１】
掛け布団本体を被覆するための掛け布団カバーであって、
塑性変形可能であり形状維持性を有する線状部材からなる格子状構造体を備え、
当該格子状構造体の四辺が、前記掛け布団カバーの四辺と略同サイズであることを特徴とする掛け布団カバー。
【請求項２】
前記格子状構造体の横断面形状が、多角形、円、および楕円のいずれかであることを特徴とする請求項１に記載の掛布団カバー。
【請求項３】
前記格子状構造体が、取り外し可能であることを特徴とする請求項１または請求項２に記載の掛け布団カバー。
【請求項４】
掛け布団本体を被覆するための掛け布団カバーであって、
熱可塑性樹脂の線状部材がループ状に屈曲して三次元網状に絡み合うとともに線状部材同士の接触部が接合した三次元網状構造体を備え、
当該三次元網状構造体の四辺が、前記掛け布団カバーの四辺と略同サイズであることを特徴とする掛け布団カバー。
【請求項５】
前記三次元網状構造体が、取り外し可能であることを特徴とする請求項４に記載の掛け布団カバー。
【請求項６】
掛け布団本体を被覆するための掛け布団カバーであって、
横断面形状が多角形、円、または楕円のいずれかである複数の立体を相互に可動自在に連結して敷き並べたシート状構造体を備え、
当該シート状構造体の四辺は、前記掛け布団本体の四辺と略同サイズであることを特徴とする掛け布団カバー。
【請求項７】
前記シート状構造体が、取り外し可能であることを特徴とする請求項６に記載の掛け布団カバー。
【請求項８】
掛け布団に取り付ける巻き付き防止具であって、
前記掛け布団と略同サイズの四辺を有し、塑性変形可能であり形状維持性を有する線状部材からなる格子状構造体であって、前記掛け布団に重ね合わせてまたは内に挿入して使用することを特徴とする巻き付き防止具。
【請求項９】
掛け布団に取り付ける巻き付き防止具であって、
前記掛け布団と略同サイズの四辺を有し、熱可塑性樹脂の線状部材がループ状に屈曲して三次元網状に絡み合うとともに線状部材同士の接触部が接合した三次元網状構造体であって、前記掛け布団に重ね合わせてまたは内に挿入して使用することを特徴とする巻き付き防止具。
【請求項１０】
掛け布団に取り付ける巻き付き防止具であって、
前記掛け布団と略同サイズの四辺を有し、横断面形状が多角形、円、および楕円のいずれかである複数の立体を相互に可動自在に連結して敷き並べたシート状構造体であって、前記掛け布団に重ね合わせてまたは内に挿入して使用することを特徴とする巻き付き防止具。
【請求項１１】
重ね合わせた前記掛け布団から外れないように、当該掛け布団に接合する接合部を備えることを特徴とする請求項８から請求項１０のいずれかに記載の巻き付き防止具。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
請求項１の考案は、掛け布団本体を被覆するための掛け布団カバー（１００）であって、塑性変形可能であり形状維持性を有する線状部材からなる格子状構造体（５０）を備え、当該格子状構造体の四辺が、前記掛け布団カバーの四辺と略同サイズであることを特徴とする掛け布団カバーを提案している。
【手続補正１５】
【補正対象書類名】明細書
【補正対象項目名】００２１
【補正方法】変更
【補正の内容】
【００２１】
請求項２の考案は、請求項１に記載の掛け布団カバー（１００）において、前記格子状構造体（５０）の横断面形状が、多角形、円、および楕円のいずれかであることを特徴とする掛布団カバーを提案している。
【手続補正１６】
【補正対象書類名】明細書
【補正対象項目名】００２３
【補正方法】変更
【補正の内容】
【００２３】
請求項３の考案は、請求項１または請求項２に記載の掛け布団カバー（１００）において、前記格子状構造体が、取り外し可能であることを特徴とする掛け布団カバーを提案している。
【手続補正１７】
【補正対象書類名】明細書
【補正対象項目名】００２５
【補正方法】変更
【補正の内容】
【００２５】
請求項４の考案は、掛け布団本体を被覆するための掛け布団カバー（２００）であって、熱可塑性樹脂の線状部材がループ状に屈曲して三次元網状に絡み合うとともに線状部材同士の接触部が接合した三次元網状構造体（６０）を備え、当該三次元網状構造体の四辺が、前記掛け布団カバーの四辺と略同サイズであることを特徴とする掛け布団カバーを提案している。
【手続補正１８】
【補正対象書類名】明細書
【補正対象項目名】００２７
【補正方法】変更
【補正の内容】
【００２７】
請求項５の考案は、請求項４に記載の掛け布団カバー（２００）において、前記三次元網状構造体（６０）が、取り外し可能であることを特徴とする掛け布団カバーを提案している。
【手続補正１９】
【補正対象書類名】明細書
【補正対象項目名】００２９
【補正方法】変更
【補正の内容】
【００２９】
請求項６の考案は、掛け布団本体を被覆するための掛け布団カバー（３００）であって、横断面形状が多角形、円、または楕円のいずれかである複数の立体を相互に可動自在に連結して敷き並べたシート状構造体（７０）を備え、当該シート状構造体の四辺は、前記掛け布団本体の四辺と略同サイズであることを特徴とする掛け布団カバーを提案している。
【手続補正２０】
【補正対象書類名】明細書
【補正対象項目名】００３１
【補正方法】変更
【補正の内容】
【００３１】
請求項７の考案は、請求項６に記載の掛け布団カバー（３００）において、前記シート状構造体（７０）が、取り外し可能であることを特徴とする掛け布団カバーを提案している。
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】変更
【補正の内容】
【００３７】
請求項８の考案は、掛け布団と略同サイズの四辺を有し、塑性変形可能であり形状維持性を有する線状部材からなる格子状構造体であって、前記掛け布団に重ね合わせてまたは内に挿入して使用することを特徴とする巻き付き防止具を提案している。
【手続補正２６】
【補正対象書類名】明細書
【補正対象項目名】００３９
【補正方法】変更
【補正の内容】
【００３９】
請求項９の考案は、掛け布団と略同サイズの四辺を有し、熱可塑性樹脂の線状部材がループ状に屈曲して三次元網状に絡み合うとともに線状部材同士の接触部が接合した三次元網状構造体であって、前記掛け布団に重ね合わせてまたは内に挿入して使用することを特徴とする巻き付き防止具を提案している。
【手続補正２７】
【補正対象書類名】明細書
【補正対象項目名】００４１
【補正方法】変更
【補正の内容】
【００４１】
請求項１０の考案は、掛け布団と略同サイズの四辺を有し、横断面形状が多角形、円、および楕円のいずれかである複数の立体から構成され、当該複数の立体が小片によって相互に可動自在に連結されたシート状構造体であって、前記掛け布団に重ね合わせてまたは内に挿入して使用することを特徴とする巻き付き防止具を提案している。
【手続補正２８】
【補正対象書類名】明細書
【補正対象項目名】００４３
【補正方法】変更
【補正の内容】
【００４３】
請求項１１の考案は、請求項８から請求項１０のいずれかに記載の巻き付き防止具において、重ね合わせた前記掛け布団から外れないように、当該掛け布団に接合する接合部を備えることを特徴とする巻き付き防止具を提案している。